(57)【特許請求の範囲】
【請求項１】
ＨＤＤが載置可能に構成されたＨＤＤトレイと、
前記ＨＤＤトレイ上に載置されるＨＤＤ上に配され前記ＨＤＤを抑える閉状態と、前記ＨＤＤトレイ上を開放する開状態と、で切替え可能に構成され、前記閉状態において前記ＨＤＤ上に弾性的に当接する付勢部を有する、ＨＤＤカバーと、を備えるＨＤＤケースと、
前記ＨＤＤケースを収容可能に構成され、前記ＨＤＤケースを所定の第１方向に沿って往復移動可能に支持する、ＨＤＤホルダと、
を備えるＨＤＤユニット。
【請求項２】
前記ＨＤＤトレイは、前記ＨＤＤが載置される底フレームと、側フレームと、を備え、前記ＨＤＤホルダに対して前記第１方向に沿ってスライド可能に係合し、
前記側フレームは、前記ＨＤＤの側部に弾性的に当接する付勢部を備える、請求項１に記載のＨＤＤユニット。
【請求項３】
前記ＨＤＤホルダは前記ＨＤＤトレイを収容するスロットを備え、
前記ＨＤＤカバーは、前記ＨＤＤトレイの前記第１方向の一端側に設けられ、前記ＨＤＤトレイ上に載置される前記ＨＤＤ上の少なくとも一部を覆う閉位置と、前記ＨＤＤ上を開放する開位置とで回動可能に構成されたプレート部材であって、前記ＨＤＤホルダの前記スロットの天井部と前記ＨＤＤとの間に配され、前記閉状態において下方に突出して前記ＨＤＤの上面を付勢する第１板ばねと、前記閉状態において上方に突出して前記天井部を付勢する第２板ばねと、を有する、請求項１または請求項２に記載のＨＤＤユニット。
【請求項４】
前記ＨＤＤトレイは、前記ＨＤＤの載置部の、前記第１方向における前方と後方に隣接する位置に、前記ＨＤＤの位置を規制する規制部をそれぞれ備える、請求項１乃至請求項３のいずれか１項に記載のＨＤＤユニット。
【請求項５】
前記付勢部は、金属材料で構成された片持ち構造の板ばね部材であり、
前記付勢部と前記ＨＤＤトレイと前記ＨＤＤホルダとが電気的に接続される、請求項１乃至請求項４のいずれか１項に記載のＨＤＤユニット。
【請求項６】
前記付勢部は、弾性部材と、前記弾性部材の表面を覆う導電性の被覆部と、を備えるＥＭＩガスケットであり、
前記付勢部と前記ＨＤＤトレイと前記ＨＤＤホルダとが電気的に接続される、請求項１乃至請求項４のいずれか１項に記載のＨＤＤユニット。
【請求項７】
請求項１に記載のＨＤＤユニットと、
前記ＨＤＤユニットを収容可能な箱状に構成される筐体と、
前記筐体内に立設されるとともに、前記ＨＤＤに接続されるコネクタを搭載するバックボードと、
を備える電子機器。
【発明の詳細な説明】
【技術分野】
【０００１】
実施形態は、ＨＤＤユニット及び電子機器に関する。
【背景技術】
【０００２】
例えば電子機器において、筐体内に、ＨＤＤユニットが設けられる。ＨＤＤユニットは、ＨＤＤ（ｈａｒｄ  ｄｉｓｋ  ｄｒｉｖｅ）と、ＨＤＤを保持するＨＤＤトレイと、ＨＤＤトレイを引き出し可能に収容するＨＤＤホルダと、を備える。例えばＨＤＤユニットは、筐体の前面部の裏側に配置され、筐体前面部に形成されたスロット開口からＨＤＤが引き出し可能に構成されている。例えばＨＤＤは、ＨＤＤトレイに対して複数個所でねじ留めされ、固定される。
【先行技術文献】
【特許文献】
【０００３】
【特許文献１】特開２０１４−１１６０５２号公報
【発明の概要】
【発明が解決しようとする課題】
【０００４】
本発明が解決しようとする課題は、保守作業性の高いＨＤＤユニット及び電子機器を提供することである。
【課題を解決するための手段】
【０００５】
実施形態にかかるＨＤＤユニットは、ＨＤＤケースと、ＨＤＤホルダと、を備える。ＨＤＤケースは、ＨＤＤトレイと、ＨＤＤカバーと、を備える。ＨＤＤトレイは、ＨＤＤが載置可能に構成される。ＨＤＤカバーは、前記ＨＤＤトレイ上に載置されるＨＤＤ上に配され前記ＨＤＤを抑える閉状態と、前記ＨＤＤトレイ上を開放する開状態と、で切替え可能に構成され、前記閉状態において前記ＨＤＤ上に弾性的に当接する付勢部を有する。ＨＤＤホルダは、前記ＨＤＤケースを収容可能に構成され、前記ＨＤＤケースを所定の第１方向に沿って往復移動可能に支持する。
【図面の簡単な説明】
【０００６】
【図１】第１実施形態にかかる電子機器の一部の構成を示す斜視図。
【図２】同実施形態にかかるＨＤＤユニットの構成を示す斜視図。
【図３】同ＨＤＤユニットのＨＤＤユニットの一部の第１状態の構成を示す斜視図。
【図４】同ＨＤＤユニットの一部の第２状態の構成を示す斜視図。
【図５】同ＨＤＤユニットのＨＤＤトレイの斜視図。
【図６】同ＨＤＤトレイの斜視図。
【図７】同ＨＤＤトレイの斜視図。
【図８】同実施形態にかかるＨＤＤユニットの交換時の説明図。
【図９】同実施形態にかかるＨＤＤユニットの交換時の説明図。
【図１０】他の実施形態にかかるＨＤＤトレイの構成を示す斜視図。
【発明を実施するための形態】
【０００７】
［第１実施形態］
以下、本発明の第１実施形態に係る電子機器１０及びＨＤＤユニット１２の構成について、図１乃至図５を参照して説明する。図１は、本実施形態にかかる電子機器１０の一部の構成を示す斜視図であり、図２はＨＤＤユニット１２の構成を示す斜視図である。図３及び図４はＨＤＤユニット１２の一部の第１状態及び第２状態を示す斜視図であり、図５乃至図７はＨＤＤトレイ２４の斜視図である。図８及び図９はＨＤＤユニット１２の保守作業の説明図である。なお、図３において、ＨＤＤカバー２５を省略して示している。
【０００８】
なお、図中矢印Ｘ，Ｙ，Ｚは互いに直交する３方向を示しており、Ｘは前後方向である第１方向、Ｙは幅方向である第２方向、Ｚは上下方向である第３方向にそれぞれ沿っている。なお、本実施形態において上下左右前後等の方向については、図１のように筐体１１の底板を下に向けて配した際の方向の一例を示しているが、各方向は、電子機器１０の姿勢に応じて適宜変化するものである。
【０００９】
図１及び図２に示すように、電子機器１０は、筐体１１と、筐体１１内に設けられたＨＤＤユニット１２と、を備える。  
筐体１１は、例えば、矩形状の天板１１ａと、天板１１ａの下方に対向配置される底板と、底板の前端縁から上方に立設される前板１１ｃと、底板の両側縁から上方に立設される一対の側板１１ｄと、底板の後端から上方に立設される後板と、を備える。筐体１１は、これらの底板１１ｂ、天板１１ａ、前板１１ｃ、後板、及び一対の側板１１ｄによって囲まれる直方体状の収容空間を形成する。
【００１０】
筐体１１は、その収容空間内の前端部であって前板１１ｃの裏側に、複数のＨＤＤユニット１２を備える。また、筐体１１は、各ＨＤＤユニット１２の背面部に立設されるバックボード１４の他、光学ドライブユニット、冷却装置、基板ユニット等の、各種の電子部品を収容する。
【００１１】
筐体１１の前板１１ｃには、後述するＨＤＤホルダ２３のスロット４０ａに連通するスロット開口１１ｆが複数形成されている。
【００１２】
各ＨＤＤユニット１２は、例えば複数のＨＤＤ２１と、ＨＤＤ２１をそれぞれ保持する複数のＨＤＤケース２２と、複数のＨＤＤケース２２を引き出し可能に収容するＨＤＤホルダ２３と、を備える。なお、本実施形態においてＨＤＤユニット１２は、ＨＤＤケース２２を上下２段に配設する２段構造のＨＤＤユニット１２を例示する。
【００１３】
ＨＤＤ２１は、例えば所定の厚さ寸法を有する矩形のブロック状に構成され、データを記憶する磁気ディスクを複数内蔵している。
【００１４】
ＨＤＤケース２２は、たとえば金属材料で構成され、ＨＤＤ２１が載置されるＨＤＤトレイ２４と、ＨＤＤカバー２５と、を備える。
【００１５】
ＨＤＤトレイ２４は、矩形の底フレーム３１と、一対の側フレーム３２と、前フレーム３３と、を備え、上面及び後方が開口している。ＨＤＤトレイ２４は、ＨＤＤホルダ２３に、第１方向に沿ってスライド可能に支持される。ＨＤＤトレイ２４は、ＨＤＤ２１が載置可能に構成されている。
【００１６】
底フレーム３１は、例えば矩形のプレート状に構成されている。底フレーム３１の上面にＨＤＤ２１が載置される。底フレーム３１の前方部位には円形状の孔部３１ａが形成されている。孔部３１ａは、操作の際に手指の挿入を可能とする開口である。
【００１７】
図６に示すように、底フレーム３１の前端部の所定位置であって、ＨＤＤ２１の載置部の前方に隣接する位置には、規制部として、上方に突出する規制突起３１ｂが一体に設けられている。規制突起３１ｂは、底フレーム３１の一部がコ字状に切りかかれ、上方に屈曲されて成るリブ状の部材である。規制突起３１ｂは、ＨＤＤ２１の前面に当接することでＨＤＤ２１の前方への位置ずれを規制する。
【００１８】
前フレーム３３は、底フレーム３１の前端縁に立設され、底フレーム３１の前方を塞ぐ板状部材である。前フレーム３３の一端には、前フレーム３３を閉じた際に前フレーム３３を筐体１１に締結する締結部材３４が設けられる。
【００１９】
一対の側フレーム３２は、底フレーム３１の両側部から上方に延びる壁部材である。側フレーム３２は、例えばその上端縁において内方に突出するレール突起３２ａを備えている。レール突起３２ａは所定位置に、後部が前部よりも上位置となる段差部３２ｂを有している。すなわち、レール突起３２ａは段差部３２ｂの一方と他方にそれぞれ設けられ、後部のレール突起３２ａが前部のレール突起３２ａよりも上方に位置している。段差部３２ｂは、リンクレール４３のうち前方の低位のレール突起４３ａに当接することにより、リンクレール４３との相対位置関係を規制するストッパとなる。
【００２０】
一対の側フレーム３２はＨＤＤホルダ２３の一対のリンクレール４３にそれぞれスライド可能に係合する。すなわち、側フレーム３２が、リンクレール４３の内面の第２のガイドスリット４３ｃに配されることにより、ＨＤＤトレイ２４の後端部が、ＨＤＤホルダ２３の前端部にスライド可能に係合する。
【００２１】
側フレーム３２の内面には、ばねプレート３５が設けられている。ばねプレート３５は、例えば細長い板状であって、その両端部に、付勢部となる板ばね部３５ａを備える。板ばね部３５ａは、ばねプレート３５の端部がＨＤＤホルダ２３のスロット４０ａの内方に向けて突出するように屈曲され、弾性変形可能に構成される。板ばね部３５ａは、側フレーム３２の内面よりも内方に位置し、底フレーム３１上に載置されるＨＤＤ２１の側面に当接して弾性的に付勢することにより、ＧＮＤ接地と、ＨＤＤ２１の第２方向の位置決め機能を果たす。
【００２２】
一対の側フレーム３２の前端部には、ＨＤＤカバー２５を回動可能に支持する軸体３６を回動可能に支持する軸孔３２ｃがそれぞれ形成されている。軸孔３２ｃには軸体３６が挿入される。軸体３６は例えばＥリングなどの支持部材３２ｆによって側フレーム３２の前端部に支持されている。
【００２３】
図６及び図７に示すように、一対の側フレーム３２の後端部には、その一部が幅方向内方に屈曲形成されてなる、規制部としての規制壁３２ｄが設けられている。規制壁３２ｄはＨＤＤ２１の載置部の後方に隣接する位置に配され、幅方向端部において、例えば挿入方向と直交する平面を形成し、ＨＤＤ２１の後端部に当接することでＨＤＤ２１の後方への移動を規制する。
【００２４】
ＨＤＤカバー２５は、例えば金属製のプレート部材であって、前フレーム３３の上端において側フレーム３２間に、軸体３６を中心に回動可能に設けられている。ＨＤＤカバー２５は、ＨＤＤ２１上に配されＨＤＤ２１を抑える閉状態と、ＨＤＤトレイ２４上を開放する開状態と、で切替え可能に構成されている。ＨＤＤカバー２５は、幅方向両端部において、回動軸からの距離が大きく構成された突出部２５ａを備え、中央部は回動軸からの距離が小さく構成されている。
【００２５】
ＨＤＤカバー２５は、突出部２５ａの先端部に押さえ片２５ｂを有する。押さえ片２５ｂは、ＨＤＤカバー２５が閉状態に向かう回動方向における先方、すなわちＨＤＤ２１に向けて、斜めに屈曲されて構成されている。押さえ片２５ｂは閉状態において、挿入方向の奥方及び下方に向けて斜めに延び、ＨＤＤ２１の上面に押しつけられる。
【００２６】
ＨＤＤカバー２５は、突出部２５ａに、それぞれ第１の板ばね部２５ｃ及び第２の板ばね部２５ｄを備える。
【００２７】
第１の板ばね部２５ｃは、ＨＤＤカバー２５の突出部２５ａの所定の領域がＵ字状に切りかかれたばね片が上方に曲折加工されて構成される。第１の板ばね部２５ｃは、例えばスライド方向後方が基端であり、スライド方向前方が自由端となる片持ちの構造であって、先端部が上方に位置するように斜めに傾斜している。第１の板ばね部２５ｃの先端部には、上方に突出するばね凸部２５ｅが形成されている。
【００２８】
第２の板ばね部２５ｄは、ＨＤＤカバー２５の突出部２５ａの基端部分の所定の領域がＵ字状に切りかかれたばね片が下方に曲折加工されて構成される。第２の板ばね部２５ｄは例えば幅方向中央側が基端であり、幅方向外方が自由端となる片持ちの構造であって、先端が下方に位置するように斜めに傾斜している。第２の板ばね部２５ｄの先端部には、下方に突出されるばね凸部２５ｅが形成されている。
【００２９】
ＨＤＤカバー２５は、図２に示す閉位置と、図１に示す開位置とで、回動可能に構成されている。ＨＤＤカバー２５の厚さ方向において、第１の板ばね部２５ｃのばね凸部２５ｅの先端位置と第２の板ばね部２５ｄのばね凸部２５ｅの先端位置とによって規定される寸法は、ＨＤＤ２１の上面とスロット４０ａの天井面との間の高さ寸法よりも僅かに大きく構成されている。すなわち、閉状態においてスロット４０ａの天井面とＨＤＤ２１の上面との間に配されたＨＤＤカバー２５によって、ＨＤＤ２１の上面が第２の板ばね部２５ｄと押さえ片２５ｂによって相対的に下方に押圧される寸法に構成されている。
【００３０】
ＨＤＤホルダ２３は、外郭を構成するハウジング４１と、ＨＤＤトレイ２４が載置される２つの支持フレーム４２と、支持フレーム４２にＨＤＤトレイ２４をスライド可能に支持するリンクレール４３と、を備える。
【００３１】
ＨＤＤホルダ２３は、ハウジング４１と２段の支持フレーム４２とによって、上下及び両側部を囲む断面矩形状の筒状に構成されている。ＨＤＤホルダ２３は、ハウジング４１と２段の支持フレーム４２とによって、その前後にそれぞれ開口するスロット４０ａを高さ方向２段備える。
【００３２】
ハウジング４１は、上壁部４１ａと一対の側壁部４１ｂとを一体に備える。ハウジング４１は、上壁部４１ａの側縁から側方に延出し、締結部材の締結孔を有する固定片４１ｃを前後左右の４か所に備える。またハウジング４１は側壁部の前端縁から側方に延びる固定フランジ片４１ｄと、側壁部の下縁から側方に延出する一対の側フランジ片４１ｅと、を一体に備える。ハウジング４１は、その後端部に、底板が固定されるボード固定部４１ｆを一体に備える。
【００３３】
支持フレーム４２は、たとえば金属材料で構成され、矩形の底プレート４２ａと、底プレートの両側縁から上方に立設される一対の側壁４２ｂと、を一体に備える。
【００３４】
一対の側壁４２ｂは、所定の高さ寸法を有する板状に構成される。側壁４２ｂはその上端縁において内方に突出するレール突起４２ｃを一体に有している。このレール突起４２ｃによって、側壁４２ｂの内壁にリンクレール４３が配される凹みであるガイドスリット４２ｄが形成される。
【００３５】
レール突起４２ｃは所定位置に、後部が前部よりも上位置となる段差部４２ｇを有している。すなわち、レール突起４２ｃは段差部４２ｇの一方と他方にそれぞれ設けられ、後部のレール突起４２ｃが前部のレール突起４２ｃよりも上方に位置している。
【００３６】
一対の側壁４２ｂの所定位置には、付勢部を構成する板ばね部４２ｅが設けられている。板ばね部４２ｅは、一対の側壁４２ｂの所定の領域がＵ字状に切りかかれたばね片を有して構成される。板ばね部４２ｅは、スライド方向前方が基端であり、スライド方向後方が自由端となる片持ちの構造であり、その先端部には、内方に突出されるばね凸部４２ｆが形成されている。
【００３７】
リンクレール４３は、第１方向に延びるフレーム状部材であって、その上端及び下端においてスロット４０ａ内方に突出するレール突起４３ａを備え、例えば断面視コ字状に構成されている。リンクレール４３は、レール突起４３ａによって、その内壁に、第１方向沿って延びる凹みである、第２のガイドスリット４３ｃを形成する。
【００３８】
リンクレール４３は後端側の領域が支持フレーム４２の第１のガイドスリット４２ｄに配されることにより、支持フレーム４２にスライド可能に係合する。また、リンクレール４３は、その内壁に構成される第２のガイドスリット４３ｃにＨＤＤトレイ２４の側部が配されることによりＨＤＤトレイ２４の移動方向を第１方向に案内する。
【００３９】
レール突起４３ａは所定位置に、後部が前部よりも上位置となる段差部４３ｂを有している。すなわち、レール突起４３ａは段差部４３ｂの一方と他方にそれぞれ設けられ、後部のレール突起４３ａが前部のレール突起４３ａよりも上方に位置している。段差部４３ｂは、側壁４２ｂのうち前部の低位のレール突起４２ｃに当接することにより、リンクレール４３と支持フレーム４２との第１方向の相対位置関係を規制するストッパとなる。
【００４０】
すなわち、ＨＤＤケース２２、支持フレーム４２、及びリンクレール４３によって２段階に伸縮可能なガイドレール機構が構成される。ＨＤＤケース２２はＨＤＤホルダ２３に所定の第１方向に沿って往復移動可能に支持される。
【００４１】
リンクレール４３の所定位置には、付勢部を構成する板ばね部４３ｅが設けられている。板ばね部４３ｅは、リンクレール４３の所定の領域がＵ字状に切りかかれたばね片を有して構成される。板ばね部４３ｅは、スライド方向前方が基端であり、スライド方向後方が自由端となる片持ちの構造であり、その先端部には、内方に突出されるばね凸部４３ｆが形成されている。
【００４２】
バックボード１４は電子部品が搭載される基板であり、ＨＤＤユニット１２の背面部に立設される。バックボード１４は、例えばＨＤＤ２１の背面に対向配置される主面に、ＨＤＤ２１と接続されるコネクタを搭載している。ＨＤＤホルダ２３のスロット４０ａにＨＤＤ２１が挿入され、収納されると、ＨＤＤ２１の後端の端子が、ＨＤＤホルダ２３のスロット４０ａの後ろ側の開口に配され、バックボード１４のコネクタに電気的及び機械的に接続される。ＨＤＤ２１の後端がバックボード１４に接続されることで、ＨＤＤ２１の後方が支持される。
【００４３】
ＨＤＤユニット１２は、複数の付勢部として、板ばね部２５ｃ、２５ｄ、３５ａ、４２ｅ、４３ｅがＧＮＤの接地点を兼ねる。すなわち、金属材料からなるＨＤＤケースに設けられた導電性の板ばね部２５ｃ、２５ｄ、３５ａと、ＨＤＤホルダ２３及びリンクレール４３に設けられた導電性の板ばね部４２ｅ、４３ｅによって、ＨＤＤ２１から、ＨＤＤケース２２及びＨＤＤホルダ２３まで電気的に接続されることとなる。
【００４４】
以上のように構成されたＨＤＤユニット１２の、ＨＤＤ２１の交換作業について、図１乃至図９を参照して説明する。
【００４５】
図４に示す第１状態において、ＨＤＤユニット１２は、ＨＤＤトレイ２４がスロット４０ａ内の奥方であって、スライド方向後方端部に、押し込まれて収納された状態である。このとき、ＨＤＤトレイ２４上にはＨＤＤ２１が載置され、ＨＤＤカバーは閉位置にある。この第１状態においては、カバーがＨＤＤ２１上面に被せられ、スロット４０ａの天井部との間に配されている。このとき、上板バネが天井部を付勢し、下板ばねがＨＤＤ２１の上面を下方に向けて付勢している。カバーの押さえ片２５ｂはＨＤＤ２１の上面に押しつけられている。このとき、支持フレーム４２とレール部材とで構成されるガイドレール機構は収縮した状態となっている。
【００４６】
この第１状態から、締結部材３４を外し、ＨＤＤトレイ２４を引き出し方向に引っ張ると、ＨＤＤケース２２、支持フレーム４２、及びリンクレール４３によって構成されるガイドレール機構が伸び、ＨＤＤトレイ２４が前板１１ｃよりも前方に引き出される第２状態となる。この第２状態において、閉位置にあるＨＤＤカバー２５を開位置に向けて回動し開状態として、ＨＤＤトレイ２４の上方を開放する。そしてＨＤＤ２１を取り出し、別のＨＤＤ２１をＨＤＤトレイ２４上にセットする。
【００４７】
その後、ＨＤＤカバー２５を閉位置にあるＨＤＤカバー２５を閉位置に向けて回動し、ＨＤＤ上に被せる。次に、ＨＤＤトレイ２４をスロット４０ａの奥方に押し込む。すると、再びガイドレール機構が縮み、ＨＤＤトレイ２４がスロット４０ａ内に収容され、第１の状態となり、締結部材３４を締結し、交換作業が完了する。
【００４８】
以上の様に構成されたＨＤＤユニット１２及び電子機器１０は、以下の効果を奏する。すなわち、ＨＤＤトレイ２４に、ＨＤＤ２１を上から弾性的に押さえるＨＤＤカバー２５を備える構成としたことにより、ＨＤＤ２１の上下方向の位置決め及び固定が可能となる。このため、ねじレス化が可能であり、保守作業が容易となるとともに、例えば計算室などの特殊な場所での作業において、ねじなどの細かい部品を管理する必要がなくなるため、作業性や安全性が高い。
【００４９】
また、ＨＤＤトレイ２４、リンクレール４３、及び支持フレーム４２の側壁部分に、片持ち構造の板ばね部２５ｃ、２５ｄ、３５ａ、４２ｅ、４３ｅを形成したことにより、ＨＤＤの幅方向の移動規制とＧＮＤ接地を両立できる。また、幅方向及上下方向において片持ち構造の板ばね部２５ｃ、２５ｄ、３５ａ、４２ｅ、４３ｅで弾性的に付勢する構成としたため、防振性の高い構成を実現できる。
【００５０】
ＨＤＤトレイ２４はＨＤＤ２１の前方移動を規制する規制突起３１ｄと、後方の移動を規制する規制壁３２ｄと、を備えることにより、ＨＤＤ２１の前後方向の移動が規制される。
【００５１】
また、ＨＤＤトレイ２４は２段階でスライド可能なガイドレール機構によってＨＤＤホルダ２３に支持される構成としたため、ＨＤＤトレイ２４を筐体１１の外方に完全に引き出すことが可能であり、保守作業性が高い。また、電子機器１０からＨＤＤトレイ２４を大きく引き出しても自重で下に撓むことを抑制できる。
【００５２】
なお、本発明は上記実施形に限られるものではない。
【００５３】
例えば他の実施形態として図１０に示すＨＤＤトレイ２４Ａは、付勢部として、ばねプレート３５に代えてＥＭＩ（Ｅｌｅｃｔｒｏ  Ｍａｇｎｅｔｉｃ  Ｉｎｔｅｒｆｅｒｅｎｃｅ）ガスケット４６を備える。その他の構成は上記第１実施形態にかかるＨＤＤトレイ２４Ａと同様である。ＥＭＩガスケット４６は、例えばクッション性のあるスポンジ状の弾性部材と、この弾性部材の表面に巻き付けられる導電性布などの導電被覆材（被覆部）と、を備える。本実施形態においても、ＥＭＩガスケット４６と、ＨＤＤ２１から、金属製のＨＤＤトレイ２４Ａ、及び金属製のＨＤＤホルダ２３まで、各付勢部２５ｃ、２５ｄ、４６によって電気的に接続されることで、上記実施形態と同様の効果を奏する。
【００５４】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１０…電子機器、１２…ＨＤＤユニット、１４…バックボード、２２…ＨＤＤケース、２３…ＨＤＤホルダ、２４…ＨＤＤトレイ、２５…ＨＤＤカバー、２５ａ…突出部、２５ｂ…押さえ片、２５ｃ…第１の板ばね部（付勢部）、２５ｄ…第２の板ばね部（付勢部）２５ｅ…ばね凸部、３１…底フレーム、３１ａ…孔部、３１ｂ…規制突起（規制部）、３２…側フレーム、３２ａ…レール突起、３２ｂ…段差部、３２ｃ…軸孔、３２ｄ…規制壁（規制部）、３３…前フレーム、３５…ばねプレート、３５ａ…板ばね部（付勢部）、３６…軸体、４０ａ…スロット、４１…ハウジング、４２…支持フレーム、４２ａ…底プレート、４２ｂ…側壁、４２ｃ…レール突起、４２ｄ…ガイドスリット、４２ｅ…板ばね部（付勢部）、４２ｆ…ばね凸部、４２ｇ…段差部、４３…リンクレール、４３ａ…レール突起、４３ｂ…段差部、４３ｃ…ガイドスリット、４３ｅ…板ばね部（付勢部）、４３ｆ…ばね凸部。
【図１】
0006585005.tif 000002
【図２】
0006585005.tif 000003
【図３】
0006585005.tif 000004
【図４】
0006585005.tif 000005
【図５】
0006585005.tif 000006
【図６】
0006585005.tif 000007
【図７】
0006585005.tif 000008
【図８】
0006585005.tif 000009
【図９】
0006585005.tif 000010
【図１０】
0006585005.tif 000011